(57)【特許請求の範囲】
【請求項１】
地面と砂場を仕切る基礎コンクリートの上面に設けられる砂場枠であって、
基礎コンクリート上面に固定される内枠部材と、該内枠部材を着脱可能に覆う外枠部材とからなり、
前記内枠部材は、金属製で、基礎コンクリート上面に接触し中心部に長手方向に沿ってアンカーボルト貫通孔が所定間隔で形成される底面部と、該底面部の両側に立設され外側下端部に上方に向けて凹状の係止部を有する側壁部とを有する構成であり、
前記外枠部材は、弾力性を有し、断面略コ字状に形成され両下端部に内側に折曲されたフック部を有し、該フック部が、上下方向の厚さが前記係止部と前記基礎コンクリート上面との間の長さより厚い構成であり、
前記アンカーボルト貫通孔に、基礎コンクリート上面から突出するアンカーボルトを貫通させてナットにより内枠部材を基礎コンクリート上面に締付け固定し、外枠部材の前記フック部を内枠部材の係止部に係合させて外枠部材を内枠部材に被せたときに、前記フック部の下面が前記基礎コンクリート上面に圧接する構成としたことを特徴する砂場枠。
【請求項２】
前記内枠部材が、アルミニウム製である請求項１記載の砂場枠。
【請求項３】
アルミニウム製の内枠部材が、陽極酸化処理されている請求項２記載の砂場枠。
【請求項４】
外枠部材は、上面にマーカーが所定間隔で設けられている請求項１〜３のいずれか１つに記載の砂場枠。
【請求項５】
外枠部材は、上面内側を凹凸状に形成してある請求項１〜４のいずれか１つに記載の砂場枠。
【発明の詳細な説明】
【０００１】
【産業上の利用分野】
本発明は、砂場の周りを囲むための砂場枠に関する。
【０００２】
【従来の技術】
運動場、競技場或いは公園等に設けられる砂場は、基礎コンクリートによって地面と砂場部分とを仕切り、基礎コンクリートの上面に砂場枠を設けて砂場の周りを囲むようにしている。
従来の砂場枠としては、例えば図10に示すように、砂場１と地面２とを仕切る基礎コンクリート３の上面に、予めアンカーボルト４を溶接等で固着した角状の鉄製中空パイプ５を、前記アンカーボルト４を介して固定し、安全性のため、この鉄製中空パイプ５の表面に、図11に示すような略コ字状の弾力性のある合成樹脂材６を接着剤によって固定して覆う構成のものがある。
【０００３】
また、図12に示すようなものもある。このものは、所定の間隔を設けて長孔11Ａを有する図13に示すような弾力性のある硬質ゴム製の枠部材11を、予め基礎コンクリート３に前記枠部材11の長孔11Ａ位置に合わせて埋設したアンカーボルト４を介して基礎コンクリート３上面に固定し、図12に示すように、アンカーボルト４の上方の長孔11Ａ開口部を、接着剤を用いて蓋材12で塞ぐように構成されている。枠部材11と基礎コンクリート３上面の接触部分は接着剤で接着して固定する。13はアンカーボルト４に螺合させたナット、14はワッシャ、15はナット13の締付け量を規制する鉄枠である。尚、図10と同一要素には同一符号を付してある。
【０００４】
【発明が解決しようとする課題】
しかしながら、図10や図12に示す従来の砂場枠では、外側の合成樹脂材６や枠部材11が傷んで交換を必要とする場合、合成樹脂材６や硬質ゴム製の枠部材11を接着剤を用いて取付ける構成としているため、これらを剥がす作業が面倒であり交換作業に時間がかかるという問題がある。また、内側のアンカーボルト４や鉄製中空パイプ５等の金属部分が腐食して交換する必要が生じた場合、外側部分に傷みがなくまだ充分使用できる時でも、全体を交換しなければならず不経済である。
【０００５】
また、図10の構造では内部の金属部分と外部の合成樹脂部分とで熱による収縮率の違いによって合成樹脂部分が剥がれ易く内部に水が侵入し易い。また、図12の構造では、枠部位11上面に長孔11Ａがあるため蓋材12周囲の隙間から水が内部に侵入し易い。そして、これら従来の砂場枠では、いずれも内部の金属部材が鉄製であるため腐食し易く、耐久性に問題がある。
【０００６】
本発明は上記の事情に鑑みなされたもので、交換時の作業性及び耐久性等に優れた砂場枠を提供することを目的とする。
【０００７】
【課題を解決するための手段】
このため、請求項１記載の発明に係る砂場枠は、地面と砂場を仕切る基礎コンクリートの上面に設けられる砂場枠であって、基礎コンクリート上面に固定される内枠部材と、該内枠部材を着脱可能に覆う外枠部材とからなり、前記内枠部材は、金属製で、基礎コンクリート上面に接触し中心部に長手方向に沿ってアンカーボルト貫通孔が所定間隔で形成される底面部と、該底面部の両側に立設され外側下端部に上方に向けて凹状の係止部を有する側壁部とを有する構成であり、前記外枠部材は、弾力性を有し、断面略コ字状に形成され両下端部に内側に折曲されたフック部を有し、該フック部が、上下方向の厚さが前記係止部と前記基礎コンクリート上面との間の長さより厚い構成であり、前記アンカーボルト貫通孔に、基礎コンクリート上面から突出するアンカーボルトを貫通させてナットにより内枠部材を基礎コンクリート上面に締付け固定し、外枠部材の前記フック部を内枠部材の係止部に係合させ、外枠部材を内枠部材に被せたときに、前記フック部の下面が前記基礎コンクリート上面に圧接する構成とした。
【０００８】
請求項２記載の発明では、前記内枠部材をアルミニウム製とした。
請求項３記載の発明では、アルミニウム製の内枠部材を陽極酸化処理したものとした。
請求項４記載の発明では、外枠部材の上面にマーカーを所定間隔で設ける構成とした。
【０００９】
請求項５記載の発明では、外枠部材に、上面内側を凹凸状に形成する構成とした。
【００１０】
【作用】
かかる請求項１の発明の構成によれば、金属製の内枠部材のアンカーボルト貫通孔にアンカーボルトを貫通させてナットに締付けて、内枠部材を基礎コンクリート上面に固定する。そして、この内枠部材の両側側壁部の外側下端部に設けた係止部に、弾力性を有する外枠部材の両下端部のフック部を係合させフック部を基礎コンクリート上面に圧接させて外枠部材を内枠部材に被せて固定する。
【００１１】
これにより、接着剤を使用することなく外枠部材を内枠部材に取付けられるため、内枠部材及び外枠部材をそれぞれ独立に交換することが容易であり、交換作業性及び経済性がよい。更には、基礎コンクリート上面に外枠部材のフック部が密着してシール機能を発揮するので、内部への水の侵入を防止できる。
また、請求項２記載のように、内枠部材をアルミニウム製とすれば、従来より腐食がし難く、耐久性が延びる。更に、請求項３記載のように、陽極酸化処理（アルマイト処理）を施したものを内枠部材に使用すれば、より腐食がし難くなり、耐久性が更に延びる。
【００１２】
また、請求項４記載のように、外枠部材の上面にマーカーを所定間隔で設ければ、学校の体育で幅跳び等の計測に便利である。
また、請求項５記載のように、外枠部材の上面内側を凹凸状に形成すれば、クッション効果が高まり、安全性が高まる。
【００１３】
【実施例】
以下、本発明の一実施例を図面に基づいて説明する。
図１は本発明に係る砂場枠の一実施例を示すもので、図１において、砂場１と地面２とを仕切る基礎コンクリート21上面に、本実施例の砂場枠20が設けられている。
【００１４】
この砂場枠20は、図２に示す弾力性を有するゴム材からなる外枠部材30と、金属製、例えば腐食し難いアルミニウム製の内枠部材40とで構成される。
前記外枠部材30は、図２に示すように、断面略コ字状に形成されている。そして、両下端部に内側に折曲されたフック部31が形成され、上面内側に凹凸部32が形成されている。また、この外枠部材30は、図３及び図４に示す直線部30Ａと図５及び図６に示す略直角に折曲形成されるコーナ部30Ｂとからなっており、それぞれ上面外側の略中心線上にはマーカー33を設けてある。直線部30Ａでは所定間隔（例えば10cm）で複数のマーカー33を設けてある。
【００１５】
内枠部材40は、図７に示すように、基礎コンクリート21上面に接触する底面部41と、底面部41の両側に立設される側壁部42とを有する。底面部41には、長孔形状のアンカーボルト貫通孔43が、図８に示すように中心部に長手方向に沿って所定間隔で複数形成されている。側壁部42は、中空状になっており、外側下端部に上方に向けて凹状の係止部44が形成されている。また、内枠部材40も、外枠部材30と同様に、図８及び図９に示すように、直線部40Ａとコーナー部40Ｂとからなっている。尚、内枠部材40の直線部40Ａは、例えば長さの異なる複数種類（例えば、長さが、0.5 ｍ、1.5 ｍ、２ｍ等）のものを用意するようにすれば、これらを組み合わせてどのような大きさの砂場１にも適用することが可能となる。
【００１６】
本実施例の砂場枠20を基礎コンクリート21上面に設置する際には、まず、内枠部材40の直線部40Ａとコーナー部40Ｂを共に、図１に示すように、内枠部材40のアンカーボルト貫通孔43に、基礎コンクリート21に予め突設したアンカーボルト22を貫通させて、内枠部材40の底面部41を基礎コンクリート21上面に接触させ、アンカーボルト22にワッシャ24を介してナット23を螺合させて締付けることで、基礎コンクリート21上面に固定する。尚、内枠部材40の直線部40Ａは、砂場１の大きさに応じてその種類や使用する本数等を適宜組み合わせて決めればよい。
【００１７】
そして、固定した内枠部材40に、砂場１の大きさに合わせてそれぞれ一体成形した外枠部材30の直線部30Ａとコーナー部30Ｂを被せ、内枠部材40の両側下端の係止部44に外枠部材30のフック部31を係合させて、外枠部材30を内枠部材40に固定して外枠部材30で内枠部材40を覆う。外枠部材30のフック部31の上下方向の厚さは、内枠部材40の係止部44と基礎コンクリート21上面との間の長さより厚くなっており、係止部44とフック部31とを係合させた状態では、フック部31の下面が、基礎コンクリート21上面に圧接して密着しシール機能を発揮し水の侵入を防止するようになっている。
【００１８】
かかる構成の砂場枠20によれば、外枠部材30と内枠部材40及び内枠部材40と基礎コンクリート21とのそれぞれの固定作業に、接着剤を使用しないので、外枠部材30のみ及び内枠部材40のみを交換する場合や、砂場枠20全体を交換する場合に、これらの取り外し作業が容易で作業時間が短縮でき、しかも、内枠部材40が従来の鉄製等に比べてアルミニウム製とすることで軽量となり運搬が容易で、従来のものに比べて砂場枠20の交換作業性が極めて優れている。また、外枠部材30と内枠部材40の分離が簡単であるため、外枠部材30や内枠部材40をそれぞれ単独に交換する場合も、砂場枠20全体を交換する必要が全くなく、経済性にも優れている。
【００１９】
また、内枠部材40をアルミニウム製としたので、従来の鉄製の場合に比べて耐蝕性がよく、耐久年数を延ばすことができる。尚、内枠部材40がアルミニウム製の場合には、その表面に陽極酸化処理してアルマイト層を形成することで、より一層耐蝕性を高めることができ、耐久性を向上させることができる。
更に、外枠部材30の上面内側に凹凸部32を設けてあるので、クッション性が高く衝撃の吸収効果が高いので、安全性に優れている。また、外枠部材30上面に設けたマーカー33は、幅跳び等の計測用として使用でき、特に、学校等の砂場に適用するのに好適である。
【００２０】
【発明の効果】
以上説明したように請求項１記載の発明によれば、金属製の内枠部材を弾力性のある外枠部材で覆う際に、内枠部材の両側下端の係止部に外枠部材のフック部を、基礎コンクリート上面に圧接するように係合させて取付ける構成としたので、両者の固定に接着剤が不要となり、これらの交換時の取り外し作業が極めて容易となり作業時間が短縮でき、従来のものに比べて砂場枠の交換作業性が極めて優れている。また、内枠部材と外枠部材の分離が容易でなので、内枠部材や外枠部材が単独で交換の必要が生じた場合も容易にそれぞれの交換が容易で経済性に優れている。更に、フック部によって砂場枠内部がシールできるので、砂場枠内部への水の侵入を防止でき金属製内枠部材の腐食を抑制できる。
【００２１】
また、請求項２記載の発明のように、内枠部材をアルミニウム製にすれば、従来の鉄製の場合に比べて耐蝕性がよく、耐久年数を延ばすことができる。しかも、従来の鉄製等に比べて軽量となり運搬性に優れる。
また、内枠部材40がアルミニウム製の場合に請求項３記載の発明のように、その表面に陽極酸化処理を施すようにすれば、より一層耐蝕性を高めることができ、耐久性を向上させることができる。
【００２２】
また、請求項４記載の発明のように、外枠部材上面に所定間隔でマーカーを設ければ、幅跳び等の計測用に使用でき、特に、学校等の砂場に適用するのに好適である。
また、請求項５記載の発明のように、外枠部材の上面内側に凹凸部を設ければ、クッション性が高く衝撃の吸収効果が高いので、安全性を向上できる。
【図面の簡単な説明】
【図１】本発明に係る砂場枠の一実施例を示す取付け状態図。
【図２】同上実施例の外枠部材を示す断面斜視図
【図３】外枠部材の直線部の部分上面図
【図４】外枠部材の直線部の部分底面図
【図５】外枠部材のコーナー部の上面図
【図６】外枠部材のコーナー部の底面図
【図７】同上実施例の内枠部材を示す断面斜視図
【図８】内枠部材の直線部の部分上面図
【図９】内枠部材のコーナー部の上面図
【図１０】従来の砂場枠の一例の取付け状態図
【図１１】図11に示す砂場枠の合成樹脂材を示す断面斜視図
【図１２】従来の砂場枠の別の例の取付け状態図
【図１３】図12に示す砂場枠の枠部材の部分断面図
【符号の説明】
20    砂場枠
21    基礎コンクリート
22    アンカーボルト
23    ナット
30    外枠部材
31    フック部
32    凹凸部
33    マーカー
40    内枠部材
41    底面部
42    側壁部
43    アンカーボルト貫通孔
44    係止部
【図１】
0003655937.tif 000002
【図２】
0003655937.tif 000003
【図３】
0003655937.tif 000004
【図４】
0003655937.tif 000005
【図５】
0003655937.tif 000006
【図６】
0003655937.tif 000007
【図７】
0003655937.tif 000008
【図８】
0003655937.tif 000009
【図９】
0003655937.tif 000010
【図１０】
0003655937.tif 000011
【図１１】
0003655937.tif 000012
【図１２】
0003655937.tif 000013
【図１３】
0003655937.tif 000014